(57)【要約】【課題】簡単な構造で、多数の塗装具を一緒に液面から引き上げて、速やかに最適な塗装具を選択できるようにする。【解決手段】塗装具の脱着収納具は、上端開口の円筒状の液体収納容器１と、この液体収納容器１を閉塞する開閉蓋２と、液体収納容器１に収納してなる脱着保持具３とを備える。脱着保持具３は、液体収納容器１の内径よりも小さくて液体収納容器１の内部に挿入できる大きさのリング(31)に、刷毛を吊り下げる吊り下げロッドや塗装具のローラを挿入する垂直ロッド２２を所定の間隔で固定しており、脱着保持具３を液体収納容器１に収納して、吊り下げロッド３２に吊り下げられる塗装具の刷毛部５１Ａやローラ部５２Ａを液体収納容器１の液体６に浸漬し、または垂直ロッド２２に挿入しているローラを液体に浸漬し、脱着保持具３が引き上げられて、塗装具５の刷毛部５１Ａやローラ部５２Ａやローラを一緒に液面から引き上げるようしている。【選択図】図５
2011031224.tif 000002
【特許請求の範囲】
【請求項１】
刷毛(51)やローラ(52)の塗装具(5)を液体(6)に浸漬して収納する塗装具の脱着収納具であって、
底を閉塞して上端を開口している円筒状の液体収納容器(1)と、この液体収納容器(1)の上端開口部を開閉できるように閉塞する開閉蓋(2)と、前記液体収納容器(1)に出し入れできるように収納してなる刷毛(51)やローラ(52)の塗装具(5)を吊り下げて収納する脱着保持具(3)とを備えており、
前記脱着保持具(3)が、液体収納容器(1)の内径よりも小さくて液体収納容器(1)の内部に挿入できる大きさのリング(31)に、リング(31)から内側に放射状に伸び、かつリング(31)の半径よりも短い複数の吊り下げロッド(32)を所定の間隔で固定しており、さらに、前記リング(31)には、これを液体収納容器(1)の内部であってその上部に支持する支持ロッド(33)の上端を固定しており、
前記脱着保持具(3)が液体収納容器(1)に収納されて支持ロッド(33)でもって、リング(31)を液体収納容器(1)の上部に配置し、このリング(31)に固定している前記吊り下げロッド(32)に塗装具(5)が吊り下げられてその下部の刷毛部(51A)やローラ部(52A)を液体収納容器(1)に充填している液体(6)に浸漬し、脱着保持具(3)が引き上げられて、脱着保持具(3)に吊り下げている全ての塗装具(5)の刷毛部(51A)やローラ部(52A)を一緒に液面から引き上げるようしてなる塗装具の脱着収納具。
【請求項２】
塗装具(5)のローラ(52)を液体(6)に浸漬して収納する塗装具の脱着収納具であって、
底を閉塞して上端を開口している円筒状の液体収納容器(1)と、この液体収納容器(1)の上端開口部を開閉できるように閉塞する開閉蓋(2)と、前記液体収納容器(1)に出し入れできるように収納してなるローラ(52)の脱着保持具(3)とを備えており、
前記脱着保持具(3)が、液体収納容器(1)の内径よりも小さくて液体収納容器(1)の内部に挿入できる大きさのリング(21)に、リング(21)から垂直方向に伸びる複数の垂直ロッド(22)を所定の間隔で固定しており、さらに、前記リング(21)には、リング(21)を液体収納容器(1)の底に配置する状態で前記開閉蓋(2)から突出しない高さであって、リング(21)を介して全ての垂直ロッド(22)を液体収納容器(1)から引き上げる引上ロッド(24)の下端を固定しており、
前記脱着保持具(3)が液体収納容器(1)に収納されてリング(21)を液体収納容器(1)の底部に配置し、このリング(21)に固定している前記垂直ロッド(22)にローラ(52)が挿入されて、液体収納容器(1)に充填している液体(6)に浸漬し、引上ロッド(24)でもって脱着保持具(3)が引き上げられて、脱着保持具(3)の垂直ロッド(22)に挿入している塗装具(5)であるローラ(52)を一緒に液面から引き上げるようしてなる塗装具の脱着収納具。
【請求項３】
前記リング(31)に複数の支持ロッド(33)を固定しており、この支持ロッド(33)の下端に、液体収納容器(1)の内径よりも小さい下端リング(34)を固定しており、この下端リング(34)を液体収納容器(1)の底に載せて、前記リング(31)を液体収納容器(1)の上部に水平姿勢に配置する請求項１に記載される塗装具の脱着収納具。
【請求項４】
前記支持ロッド(33)に、外側に突出するように引っ掛けフック(36)を設けており、引っ掛けフック(36)が固定される脱着保持具(3)が前記液体収納容器(1)に収納できる形状としており、
前記引っ掛けフック(36)が前記液体収納容器(1)の上端開口縁に引っ掛けられて、前記脱着保持具(3)が引き上げ位置に配置されて、前記塗装具(5)の刷毛部(51A)やローラ部(52A)を液体収納容器(1)の液面から引き上げる位置に配置するようにしてなる請求項１または３に記載される塗装具の脱着収納具。
【請求項５】
前記リング(21)に、外側に突出するように引っ掛けフック(26)を設けており、引っ掛けフック(26)が固定される脱着保持具(3)が前記液体収納容器(1)に収納できる形状としており、
前記引っ掛けフック(26)が前記液体収納容器(1)の上端開口縁に引っ掛けられて、前記脱着保持具(3)が引き上げ位置に配置されて、前記塗装具(5)のローラ(52)を液体収納容器(1)の液面から引き上げる位置に配置するようにしてなる請求項２に記載される塗装具の脱着収納具。
【請求項６】
前記リング(31)に４本ないし１０本の吊り下げロッド(32)が固定され、吊り下げロッド(32)の全長がリング(31)の半径の５０％ないし８０％である請求項１、３、４のいずれかに記載される塗装具の脱着収納具。
【請求項７】
前記吊り下げロッド(32)の先端部が、先端に向かって上り勾配に傾斜している請求項１、３、４、６のいずれかに記載される塗装具の脱着収納具。
【発明の詳細な説明】
【技術分野】
【０００１】
本発明は、刷毛やローラなどの塗装具を、その刷毛部やローラ部をシンナーなどの液体に浸漬して収納する容器に関する。
【背景技術】
【０００２】
塗装に使用される刷毛やローラなどの塗装具は、使用しないときは刷毛部やローラ部をシンナーなどの溶媒に浸漬する必要がある。刷毛部やローラ部に付着した塗料が硬化すると使用できなくなるからである。この用途に使用される脱着収納具は開発されている（特許文献１参照）。この脱着収納具を図１に示す。この脱着収納具は、液体収納容器９１に、刷毛９９を収納するサブ容器９２を、脱着できるように連結している。サブ容器９２は、刷毛９９を入れることができる刷毛入れ部９３を設けて、この刷毛入れ部９３に引っ掛け部９４を連結して、引っ掛け部９４を液体収納容器９１の開口縁部に引っ掛けて、刷毛入れ部９３を液体収納容器９１の内部に配置している。さらに、刷毛入れ部９３の底には、塗料のたまりを解消する塗料抜き９５を設け、また、異なる刷毛９９を区画して収納するために仕切り９６を設けている。
【先行技術文献】
【特許文献】
【０００３】
【特許文献１】特開２００５−１１２３８７号公報
【発明の概要】
【発明が解決しようとする課題】
【０００４】
図１の脱着収納具は、サブ容器９２の刷毛入れ部９３に刷毛９９を入れて、刷毛部９９Ａに付着する塗料が硬化するのを防止できる。また、サブ容器９２には複数の刷毛９９を収納することもできる。しかしながら、この構造の脱着収納具は、サブ容器に刷毛を入れて下端の刷毛部をシンナーなどの液体に浸漬するので、刷毛が自重で変形して使い難くなる欠点がある。また、この脱着収納具は、多数の刷毛を液体収納容器に収納するのが難しい欠点がある。多数の刷毛を収納するためにサブ容器を大きくすると、これを液体収納容器から持ち上げるときに重くなる欠点がある。複数の刷毛を収納している脱着収納具は、刷毛を使用するときに、これをシンナーなどの液体から持ち上げて刷毛部の大きさや形状を確認して特定の刷毛を選択する必要がある。シンナーなどの液体が、刷毛部に付着する塗料で不透明な状態になっているからである。不透明な液体に浸漬される刷毛部は、その形状や大きさを外部から確認できず、これをシンナーなどの液体から引き上げて確認して、特定のものを選択して使用する必要がある。多数の刷毛を収納するために大きくして、多数に区画しているサブ容器は、それ自体の自重が重くなって簡単に引き上げできない。さらに、このサブ容器は、刷毛入れ部にシンナー等の液体が侵入しているので、シンナーを排出しながら引き上げるので、スムーズに引き上げできない欠点もある。シンナーを排出しないで液体収納容器から引き上げると、シンナーの重量がサブ容器に加算されて極めて重くなるからである。また、サブ容器を引き上げるときに、刷毛入れ部からシンナーを散水状態で排水するので、シンナーの気化量が多くなって作業環境を悪くする欠点もある。サブ容器を軽くしながら、多数の刷毛などを収納するため、小さいサブ容器を多数に液体収納容器に連結すると、各々のサブ容器を引き上げて最適な刷毛を選択する必要があるので、刷毛の選択に手間がかかる欠点がある。
【０００５】
さらに、図１の脱着収納具は、サブ容器を液体収納容器の開口縁部に引っ掛けて連結するので、液体収納容器の開口部を、シンナーなどの溶媒が外部に漏れるのを確実に阻止できない欠点もある。この欠点は、気化しやすいシンナーの気化を防止できず、刷毛の使用環境を著しく悪くし、さらに刷毛を収納して車等で運搬する環境においても、シンナーの気化による弊害を防止できない。
【０００６】
本発明は、以上の欠点を解決することを目的に開発されたものである。本発明の重要な目的は、極めて簡単な構造で多数の刷毛やローラ等の塗装具を好ましい状態で収納できると共に、簡単かつ容易に、しかも多数の塗装具を一緒に液面から引き上げて、速やかに最適な塗装具を選択でき、さらに、シンナーなどの液体が気化して外部に漏れるのを有効に阻止して、作業環境と運搬環境と保管環境を著しく改善できる塗装具の脱着収納具を提供することにある。
【課題を解決するための手段及び発明の効果】
【０００７】
本発明の請求項１に記載する塗装具の脱着収納具は、刷毛５１やローラ５２の塗装具５を液体６に浸漬して収納する。塗装具の脱着収納具は、底を閉塞して上端を開口している円筒状の液体収納容器１と、この液体収納容器１の上端開口部を開閉できるように閉塞する開閉蓋２と、液体収納容器１に出し入れできるように収納してなる刷毛５１やローラ５２の塗装具５の脱着保持具３とを備えている。脱着保持具３は、液体収納容器１の内径よりも小さくて液体収納容器１の内部に挿入できる大きさのリング３１に、リング３１から内側に放射状に伸び、かつリング３１の半径よりも短い複数の吊り下げロッド３２を所定の間隔で固定しており、さらに、リング３１には、これを液体収納容器１の内部であってその上部に支持する支持ロッド３３の上端を固定している。塗装具の脱着収納具は、脱着保持具３が液体収納容器１に収納されて、支持ロッド３３でもってリング３１を液体収納容器１の上部に配置し、このリング３１に固定している吊り下げロッド３２に塗装具５が吊り下げられてその下部の刷毛部５１Ａやローラ部５２Ａを液体収納容器１に充填している液体６に浸漬し、脱着保持具３が引き上げられて、脱着保持具３に吊り下げている全ての塗装具５の刷毛部５１Ａやローラ部５２Ａを一緒に液面から引き上げるようしている。
【０００８】
以上の脱着収納具は、極めて簡単な構造で多数の刷毛やローラ等の塗装具を好ましい状態で収納できる特徴がある。それは、液体収納容器の内部に、引き上げできるように脱着保持具を入れる構造とし、さらに、この脱着保持具を、液体収納容器に収納できる大きさのリングに、複数の吊り下げロッドを放射状に固定して、リングに支持ロッドを連結する簡単な構造として、複数の吊り下げロッドに塗装具を吊り下げて収納するからである。吊り下げロッドに吊り下げて収納される刷毛やローラ等の塗装具は、下部の刷毛部やローラ部を液体収納容器に充填しているシンナーなどの液体に浸漬して収納される。この状態で収納される塗装具は、刷毛などが変形することかなく、これがシンナーなどに浸漬されて付着する塗料の硬化を防止できる。
【０００９】
さらに、以上の脱着収納具は、簡単かつ容易に、しかも多数の塗装具を一緒に液面から引き上げて、速やかに最適な塗装具を選択できる特徴も実現する。この特徴は、リングに吊り下げロッドと支持ロッドを固定している脱着保持具を液体収納容器から引き上げて、吊り下げている全ての塗装具を液面から上昇して、刷毛部やローラ部を確認して選択できることで実現される。また、脱着保持具を引き上げるときに、液体が一緒に引き上げられことがなく、また、リングに吊り下げロッドと支持ロッドを固定する簡単な構造で軽くできることから、全ての塗装具を吊り下げる状態で、脱着保持具を軽く速やかに引き上げることができる。
【００１０】
本発明の請求項２に記載する塗装具の脱着収納具は、塗装具５のローラ５２を液体６に浸漬して収納する。塗装具の脱着収納具は、底を閉塞して上端を開口している円筒状の液体収納容器１と、この液体収納容器１の上端開口部を開閉できるように閉塞する開閉蓋２と、液体収納容器１に出し入れできるように収納してなるローラ５２の脱着保持具３とを備えている。脱着保持具３は、液体収納容器１の内径よりも小さくて液体収納容器１の内部に挿入できる大きさのリング２１に、リング２１から垂直方向に伸びる複数の垂直ロッド２２を所定の間隔で固定しており、さらに、リング２１には、リング２１を液体収納容器１の底に配置する状態で開閉蓋２から突出しない高さであって、リング２１を介して全ての垂直ロッド２２を液体収納容器１から引き上げる引上ロッド２４の下端を固定している。塗装具の脱着収納具は、脱着保持具３が液体収納容器１に収納されて、リング２１を液体収納容器１の底部に配置し、このリング２１に固定している垂直ロッド２２にローラ５２を挿入して、液体収納容器１に充填している液体６に浸漬し、引上ロッド２４でもって脱着保持具３が引き上げられて、脱着保持具３の垂直ロッド２２に挿入している塗装具５であるローラ５２を一緒に液面から引き上げるようしている。
【００１１】
以上の脱着収納具は、極めて簡単な構造で多数の塗装具であるローラを好ましい状態で収納できる特徴がある。それは、液体収納容器の内部に、引き上げできるように脱着保持具を入れる構造とし、さらに、この脱着保持具を、液体収納容器に収納できる大きさのリングに、複数の垂直ロッドを所定の間隔で固定して、リングに垂直ロッドを連結する簡単な構造として、複数の垂直ロッドに塗装具のローラを挿入して収納するからである。垂直ロッドに挿入して収納される塗装具のローラは、液体収納容器に充填しているシンナーなどの液体に浸漬して収納される。この状態で収納される塗装具は、ローラが変形することなく、これがシンナーなどに浸漬されて付着する塗料の硬化を防止できる。
【００１２】
さらに、以上の脱着収納具は、簡単かつ容易に、しかも多数の塗装具のローラを一緒に液面から引き上げて、速やかに最適なローラを選択できる特徴も実現する。この特徴は、リングに垂直ロッドと引上ロッドを固定している脱着保持具を、引上ロッドでもって液体収納容器から引き上げて、挿入している全てのローラを液面から上昇して、ローラを確認して選択できることで実現される。また、脱着保持具を引き上げるときに、液体が一緒に引き上げられることがなく、また、リングに垂直ロッドと引上ロッドを固定する簡単な構造で軽くできることから、全ての塗装具を吊り下げる状態で、脱着保持具を軽く速やかに引き上げることができる。
【００１３】
さらにまた、以上の脱着収納具は、液体収納容器に充填しているシンナーなどの液体が気化して外部に漏れるのを有効に阻止して、作業環境と運搬環境と保管環境を著しく改善できる特徴も実現できる。この特徴は、脱着保持具を液体収納容器に入れることから、シンナーなどの液体が外部に漏れないように、開閉蓋で開口部を閉塞することで実現される。
【００１４】
本発明の塗装具の脱着収納具は、請求項１の構成に加えて、リング３１に複数の支持ロッド３３を固定すると共に、この支持ロッド３３の下端に、液体収納容器１の内径よりも小さい下端リング３４を固定して、この下端リング３４を液体収納容器１の底に載せて、リング３１を液体収納容器１の上部に水平姿勢に配置することができる。
この塗装具の脱着収納具は、リングを液体収納容器の上部に水平姿勢で配置できるので、簡単かつ容易に、刷毛やローラ等の塗装具を吊り下げロッドに吊り下げできる。
【００１５】
本発明の塗装具の脱着収納具は、請求項１の構成に加えて、支持ロッド３３に、外側に突出するように引っ掛けフック３６を設けて、引っ掛けフック３６が固定される脱着保持具３を液体収納容器１に収納できる形状とすることができる。さらに、この脱着収納具は、引っ掛けフック３６を液体収納容器１の上端開口縁に引っ掛けて、脱着保持具３を引き上げ位置に配置して、塗装具５の刷毛部５１Ａやローラ部５２Ａを液体収納容器１の液面から引き上げる位置に配置することができる。
以上の塗装具の脱着収納具は、引っ掛けフックを液体収納容器の上端開口縁に引っ掛けることによって、塗装具が吊り下げられた脱着保持具を、刷毛部やローラ部が液体収納容器の液面から引き上げられた位置に停止できるので、刷毛やローラが吊り下げられた脱着保持具の全体を液体収納容器から取り出すことなく、脱着保持具を液体収納容器の内側に配置する状態で停止させて、刷毛部やローラ部を確実に目で確認して選択できる。
【００１６】
本発明の塗装具の脱着収納具は、請求項２の構成に加えて、リング２１に、外側に突出するように引っ掛けフック２６を設けて、引っ掛けフック２６が固定される脱着保持具３を液体収納容器１に収納できる形状とすることができる。さらに、この脱着収納具は、引っ掛けフック２６を液体収納容器１の上端開口縁に引っ掛けて、脱着保持具３を引き上げ位置に配置して、塗装具５のローラ５２を液体収納容器１の液面から引き上げる位置に配置することができる。
以上の塗装具の脱着収納具は、引っ掛けフックを液体収納容器の上端開口縁に引っ掛けることによって、垂直ロッドにローラを挿入している脱着保持具を、液体収納容器の液面から引き上げられた位置に停止できるので、脱着保持具の全体を液体収納容器から取り出すことなく、脱着保持具を液体収納容器の内側に配置する状態で停止させて、ローラを確実に目で確認して選択できる。
【００１７】
本発明の塗装具の脱着収納具は、請求項１の構成に加えて、リング３１に４本ないし１０本の吊り下げロッド３２を固定すると共に、吊り下げロッド３２の全長をリング３１の半径の５０％ないし８０％とすることができる。
この塗装具の脱着収納具は、多数の塗装具を、スムーズに脱着しながら吊り下げロッドに吊り下げできる。
【００１８】
本発明の塗装具の脱着収納具は、請求項１の構成に加えて、吊り下げロッド３２の先端部を、先端に向かって上り勾配に傾斜させることができる。
この塗装具の脱着収納具は、吊り下げロッドに吊り下げている塗装具が落下するのを有効に阻止できる。
【図面の簡単な説明】
【００１９】
【図１】従来の脱着収納具の断面図である。
【図２】本発明の一実施例にかかる塗装具の脱着収納具の斜視図である。
【図３】図２に示す塗装具の脱着収納具の締め付けリングを緩めた状態を示す斜視図である。
【図４】図２に示す塗装具の脱着収納具の一部拡大断面図である。
【図５】図２に示す塗装具の脱着収納具の開閉蓋を外した斜視図である。
【図６】図５に示す塗装具の脱着収納具に収納される脱着保持具の斜視図である。
【図７】図６に示す脱着保持具を複数個積層する状態を示す斜視図である。
【図８】図５に示す塗装具の脱着収納具の脱着保持具を引き上げ位置に保持する状態を示す断面図である。
【図９】脱着保持具を引き上げ位置に保持する他の構造を示す断面図である。
【図１０】脱着保持具を引き上げ位置に保持する他の構造を示す断面図である。
【図１１】本発明の他の実施例にかかる塗装具の脱着収納具の一部拡大断面図である。
【図１２】図１１に示す塗装具の脱着収納具の開閉蓋を外した斜視図である。
【図１３】図１２に示す塗装具の脱着収納具に収納される脱着保持具の斜視図である。
【図１４】図１１に示す塗装具の脱着収納具の脱着保持具を引き上げ位置に保持する状態を示す断面図である。
【発明を実施するための形態】
【００２０】
以下、本発明の実施例を図面に基づいて説明する。ただし、以下に示す実施例は、本発明の技術思想を具体化するための塗装具の脱着収納具を例示するものであって、本発明は塗装具の脱着収納具を以下のものに特定しない。
【００２１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
本発明の脱着収納具は、刷毛やローラなどの塗装具を、塗料が付着している刷毛部やローラ部をシンナーなどの液体に浸漬して、塗料が硬化しないように収納し、容器から取り出して常に使用できる状態とするものである。
【００２３】
図２ないし図５に示す塗装具の脱着収納具は、底を閉塞して上端を開口している円筒状の液体収納容器１と、この液体収納容器１の上端開口部を開閉できるように閉塞する開閉蓋２と、液体収納容器１に出し入れできるように収納している刷毛５１とローラ５２の脱着保持具３とを備えている。
【００２４】
液体収納容器１と開閉蓋２は、例えば内容積を２０リットルとする空き缶が使用できる。この空き缶は、塗料やシンナーなどの溶媒を収納していたもので、開閉蓋２で開口部を密閉できるものが使用できる。図４の液体収納容器１は開口部にフランジ１１を設けており、このフランジ１１に開閉蓋２の外周縁を積層して、積層部７を締め付けリング４で締め付けて、液体収納容器１の開口部を開閉蓋２で密閉している。開閉蓋２は、液体収納容器１の開口部を好ましくは水密構造に密閉する。図４に示す脱着収納具は、液体収納容器１の開口部を開閉蓋２で水密構造に密閉するために、開閉蓋２の外周縁部１２の内面にパッキン８を配設している。この脱着収納具は、液体収納容器１のフランジ１１と開閉蓋２の外周縁部１２との間にパッキン８を挟着する状態で積層部７を密着できるので、このパッキン８を介して液体収納容器１の開口部を開閉蓋２で水密構造に密閉できる。開閉蓋２で水密構造に密閉される液体収納容器１は、内部にシンナーなどの溶媒を収納する状態で倒れても、液体が外部に漏れることがない。このため、たとえば、シンナーなどの溶媒を充填して、塗装具５を収納している脱着収納具が、運搬する車の衝撃で車内で倒れても車内にシンナーなどの液体が漏れることがなく、車内にシンナーなどの液体臭が充満することがなく、安全に安心して運搬できる。
【００２５】
締め付けリング４は、液体収納容器１のフランジ１１と開閉蓋２の積層部７に脱着自在に装着されて、フランジ１１と開閉蓋２の積層部７を積層状態に結束する。図２と図３に示す締め付けリング４は、結束リング４１に開閉レバー４２を連結している。結束リング４１は、液体収納容器１のフランジ１１と開閉蓋２の積層部７の外周に沿うリング状で、フランジ１１と開閉蓋２の積層部７を嵌入する嵌入溝４３を内側に向けて設けている。この結束リング４１は、たとえば、細長い帯状の金属板を折曲加工して嵌入溝４３を設けると共に、この嵌入溝４３が内側を向くようにリング状に湾曲加工して製作される。リング状の結束リング４１は、一部を非連結状態として結束部４５を設けており、この結束部４５を開いて、液体収納容器１のフランジ１１と開閉蓋２の積層部７に脱着自在に装着できるようにしている。
【００２６】
さらに、締め付けリング４は、結束リング４１の結束部４５を締め付けて結束する開閉レバー４２を設けている。開閉レバー４２は、結束リング４１の一端に、回転軸４６を介して、結束リング４１の締め付け方向に回動できるように連結している。さらに、結束リング４１の他端と開閉レバー４２の中間とを、連結部材４７で連結している。この連結部材４７は、一端を、結束リング４１の他端に対して回動自在に連結すると共に、他端を、開閉レバー４２に対して回動自在に連結している。図に示す連結部材４７は、金属ロッドを細長い四角形の枠形に折曲加工しており、互いに対向する短辺を回転軸４８として回動できるように、結束リング４１の他端と開閉レバー４２の中間とに連結している。この締め付けリング４は、開閉レバー４２を起こして結束部４５を開く状態で開閉蓋２を液体収納容器１に脱着し、開閉レバー４２を結束リング４１に沿うように倒して、液体収納容器１のフランジ１１と開閉蓋２の積層部７を結束して、水密構造に密閉する。さらに、締め付けリングは、図示しないが、嵌入溝の内側にパッキンを設けて、このパッキンを介して、液体収納容器のフランジと開閉蓋の外周縁部との積層部を水密構造に密閉することもできる。
【００２７】
脱着保持具３は、リング３１に複数の吊り下げロッド３２を放射状に固定して、さらに、リング３１に下方に伸びるように、支持ロッド３３を固定している。図４ないし図６の脱着保持具３は、リング３１に複数の支持ロッド３３を固定して、支持ロッド３３の下端に下端リング３４を固定している。
【００２８】
リング３１と、吊り下げロッド３２と、支持ロッド３３と、下端リング３４は金属ロッドである。金属ロッドには、錆び難いステンレスロッドが最適である。ただし、リングと、吊り下げロッドと、支持ロッドと、下端リングには、メッキしている金属ロッド、さらに、錆びない硬質のプラスチックロッドとすることもできる。リング３１と吊り下げロッド３２と支持ロッド３３と下端リング３４は溶接して互いに固定される。ただし、これ等は、接着して固定され、あるいは曲げ加工して固定することもできるのは言うまでもない。
【００２９】
リング３１と下端リング３４は、液体収納容器１に挿入されるので、液体収納容器１の内径よりも小さい円形のリング状としている。リング３１は、同じ長さである複数の支持ロッド３３を介して下端リング３４に連結される。したがって、リング３１と下端リング３４は、複数の支持ロッド３３を介して互いに水平姿勢に連結される。下端リング３４は、液体収納容器１の底に水平に載せられるので、リング３１は液体収納容器１の上部に水平姿勢に配置される。
【００３０】
さらに、図４ないし図６に示す脱着保持具３は、下端リング３４の内形をリング３１の外形よりも大きくしている。図の脱着保持具３は、大きさの異なるリング３１と下端リング３４を、平面視で同心円状となるように傾斜姿勢の支持ロッド３３で連結して、全体を円錐台の形状としている。この形状の脱着保持具３は、図７に示すように、一方の脱着保持具３の内側に他方の脱着保持具３を収納する状態で複数の脱着保持具３を互いに積層できるので、多数の脱着保持具３をコンパクトに積層しながら収納し、また、運搬できるできる特長がある。さらに、下端リング３４をリング３１よりも大きくする構造は、脱着保持具３を倒れないように安定して支持できる特長もある。ただし、下端リングとリングは、同じ大きさのリング状とし、あるいは、下端リングをリングよりも小さくすることもできる。
【００３１】
吊り下げロッド３２は、リング３１から内側に放射状に伸びるように、すなわち半径方向に伸びるように一端をリング３１に固定している。図６の脱着保持具３は、リング３１に等間隔に１０本の吊り下げロッド３２を固定している。リング３１には、多数の吊り下げロッド３２を固定して多数の塗装具５を吊り下げできる。ただ、吊り下げロッドが多くなると、隣接する吊り下げロッドの間隔が狭くなって、大きな塗装具を吊り下げできなくなる。したがって、吊り下げロッドの数は、液体収納容器と塗装具の大きさを考慮して、たとえば４本ないし１２本とする。
【００３２】
吊り下げロッド３２は、リング３１の中心部に空隙部３５を設けて、この空隙部３５から、刷毛５１やローラ５２等の塗装具５を脱着できるように、リング３１の半径よりも短くしている。吊り下げロッド３２の全長は、リング３１の半径の５０％ないし８０％として、リング３１の中心部に空隙部３５を設けている。吊り下げロッド３２は、長くして１本に多数の塗装具を吊り下げできるが、長くすると中心の空隙部が狭くなって、塗装具を簡単に脱着できなくなる。したがって、吊り下げロッド３２は、塗装具５をスムーズに脱着でき、かつ吊り下げロッド３２に複数の塗装具５を吊り下げできるように、前述の範囲とする。
【００３３】
さらに、図６の吊り下げロッド３２は、リング３１に水平姿勢に固定されて、その先端部を中心に向かって上り勾配に傾斜させている。この吊り下げロッド３２は、吊り下げている塗装具５が落下するのを有効に阻止できる特徴がある。
【００３４】
支持ロッド３３は、リング３１を液体収納容器１の上部に水平に配置する長さとしている。支持ロッド３３は、開閉蓋２で閉塞される液体収納容器１の内部に配置できる位置、正確には塗装具５を吊り下げしているリング３１を、開閉蓋２で閉塞している液体収納容器１の内部に配置できる位置に支持する。図の脱着保持具３は、リング３１に複数の支持ロッド３３を固定して、リング３１を水平姿勢に支持している。ただし、脱着保持具は、１本の支持ロッドでリングを水平姿勢に支持することもできる。
【００３５】
支持ロッド３３は、その中間に、外側に突出するように引っ掛けフック３６を設けている。図６と図８の支持ロッド３３は、直線状のロッドである支持ロッド３３の外側に、金属ロッドをＵ曲している引っ掛けフック３６を溶接して固定している。脱着保持具３は、この引っ掛けフック３６を支持ロッド３３に固定する状態で、液体収納容器１に収納できる形状としている。引っ掛けフック３６は、液体収納容器１の上端開口縁に引っ掛けられて、脱着保持具３を引き上げ位置に保持する。引き上げ位置にある脱着保持具３は、下部を液体収納容器１に挿入して、上部を液体収納容器１の外部に引き上げる状態とする。引っ掛けフック３６のある脱着保持具３は、液体収納容器１から引き上げ、引っ掛けフック３６を液体収納容器１の上端開口縁部に引っ掛けて、引き上げ位置に停止される。引き上げ位置に配置される脱着保持具３は、吊り下げロッド３２に吊り下げている塗装具５の刷毛部５１Ａやローラ部５２Ａを、液体収納容器１の液面から引き上げる。この位置にある塗装具５は、刷毛部５１Ａやローラ部５２Ａを不透明な液面から引き上げて外部から確認できる状態とする。脱着収納具を使用する作業者は、刷毛部５１Ａやローラ部５２Ａの形状や大きさを確認して、使用する刷毛５１やローラ５２を選択して、脱着収納具から取り出して使用する。
【００３６】
図６と図８の脱着保持具３は、支持ロッド３３に引っ掛けフック３６を固定して、脱着保持具３に引っ掛けフック３６を設けているが、図９に示すように、支持ロッド３３を折曲加工して、引っ掛けフック３６を設けることもできる。また、図８の脱着収納具は、引っ掛けフック３６を液体収納容器１の上端開口縁に引っ掛けて、脱着保持具３を引き上げ位置に配置するが、図１０に示すように、液体収納容器１の内面に引掛部１６を設け、この引掛部１６に引っ掛けフック３６を引っ掛けて、脱着保持具３を引き上げ位置に配置することもできる。この脱着収納具は、脱着保持具３を引き上げて、引っ掛けフック３６を引掛部１６に引っ掛けて、引き上げ位置に配置できる。
【００３７】
以上の脱着収納具は以下のようにして使用する。
液体収納容器１にシンナーなどの液体６を充填する。充填される液体６は、刷毛部５１Ａやローラ部５２Ａを浸漬することで、付着している塗料の硬化を阻止するもので、一般的にはシンナーが使用される。ただ、エマルジョンタイプの塗料に使用される塗装具の脱着収納具にあっては、液体収納容器１に水を充填して、刷毛部５１Ａやローラ部５２Ａに付着する塗料の硬化を防止する。
【００３８】
開閉蓋２を開いて脱着保持具３を液体収納容器１に入れ、脱着保持具３に設けている吊り下げロッド３２に、刷毛５１やローラ５２を吊り下げて収納する。塗装具５は、柄の上端部に設けた貫通孔を吊り下げロッド３２に挿通して、吊り下げロッド３２に吊り下げられる。この状態で、塗装具５は、刷毛部５１Ａやローラ部５２Ａを液体６に浸漬して、付着する塗料の硬化が阻止される。
【００３９】
塗装具５を使用しないとき、吊り下げロッド３２に塗装具５を吊り下げる状態で、液体収納容器１の開口部を開閉蓋２で密閉する。開閉蓋２は、締め付けリング４で液体収納容器１の開口部を水密構造に密閉する。この状態で液体収納容器１に充填しているシンナーなどの液体６は外部に漏れず、また、気化したガスが外部に漏れることがない。したがって、脱着収納具は、この状態で保管され、あるいは運搬されて、シンナーなどの外部への漏れが阻止される。
【００４０】
刷毛５１やローラ５２を使用するときは、締め付けリング４を緩めて開閉蓋２を開き、脱着保持具３を引き上げ、図８に示すように、引っ掛けフック３６を液体収納容器１の開口縁に引っ掛けて、引き上げ位置とする。この位置で塗装具５の刷毛部５１Ａやローラ部５２Ａが液面から引き上げられる。作業者は、液面から引き上げられた刷毛部５１Ａやローラ部５２Ａの形状や大きさを確認し、使用するのに最適な塗装具５を吊り下げロッド３２から取り出して使用する。その後、使用しないときは、脱着保持具３を液体収納容器１に収納して、開閉蓋２で開口部を密閉する。
【００４１】
さらに、図１１ないし図１４に示す塗装具の脱着収納具は、ローラ５２からローラ部５２Ａを引き抜いて収納する脱着収納具を示している。これ等の図に示す脱着収納具は、液体収納容器１と開閉蓋２を図２ないし図５に示す脱着収納具と同じ構造とし、脱着保持具３を異なる形状としている。この脱着保持具３は、液体収納容器１の内径よりも小さくて液体収納容器１の内部に挿入できる大きさのリング２１に、リング２１から垂直方向に伸びる複数の垂直ロッド２２を所定の間隔で固定している。垂直ロッド２２は、ローラ部５２Ａの中心孔５２ａに挿入される直線状の金属ロッドである。垂直ロッド２２は、ローラ部５２Ａの中心孔５２ａに挿入されて、ローラ部５２Ａを垂直姿勢に配置する。垂直ロッド２２は、ローラ部５２Ａを垂直姿勢に保持できる長さとしてる。垂直ロッド２２の長さは、ローラ部５２Ａを垂直姿勢に保持できる長さであって、ローラ部５２Ａの長さよりも短く、たとえば１５ｃｍ〜２０ｃｍとしている。
【００４２】
複数の垂直ロッド２２を固定するために、図１３の脱着保持具３は、上下のリング２１に十字ロッド２３を固定して、この十字ロッド２３とリング２１の両方に所定の間隔で複数の垂直ロッド２２を垂直姿勢に固定している。さらに、図１３の脱着保持具は、２個のリング２１を２段に平行な姿勢で配置して、垂直ロッド２２で固定している。この構造は、垂直ロッド２２の下部の２点をリング２１に固定するので、しっかりと強固にリング２１に固定して、曲げ強度を相当に向上できる。また、この構造の脱着保持具３は、垂直ロッド２２に挿入するローラ部５２Ａを液体収納容器１の底面から離して配置できるので、液体収納容器１の底に溜まる異物がローラ部５２Ａに付着するのを防止できる。
【００４３】
さらに、脱着保持具３は、底に配置させるリング２１を液面から引っ上げるために、リング２１の中心部に引上ロッド２４を固定している。引上ロッド２４は、十字ロッド２３の中心に固定している。リング２１と垂直ロッド２２と引上ロッド２４は金属ロッドで、互いに溶接して固定している。ただし、リングと垂直ロッドと引上ロッドは、溶接によらず、接着など他の全ての方法で固定することもできる。引上ロッド２４は、垂直方向に伸びて上端を開閉蓋２の下方に配置する。すなわち、引上ロッド２４のある脱着保持具３を液体収納容器１に入れて、開閉蓋２で液体収納容器１を閉塞できる構造、すなわち開閉蓋２よりも上方に突出しない高さとしている。引上ロッド２４は、上端に取手２５を設けている。図の引上ロッド２４は、ユーザーの手を挿入できるループ状の取手２５を設けている。この引上ロッド２４は、上端の取手２５を液体収納容器１に充填している液体６の液面から上方に位置させる。すなわち、引上ロッド２４は、液面よりも上に位置する上端に設けた取手２５を握って、脱着保持具３を液体６から引き上げることができるようにしている。引上ロッド２４は、取手２５をできる限り上方に位置させるように、すなわち、取手２５を液面から離して配置できるように、取手２５を設けている上端を開閉蓋２の内面に接近する長さとしいる。この引上ロッド２４は、取手２５を設けている上端を、液体収納容器１の上部に位置する長さとしている。引上ロッド２４は、リング２１を引き上げて、リング２１に固定している全ての垂直ロッド２２を液体収納容器１に充填している液体６から引き上げるものである。
【００４４】
さらに、図１１ないし図１４の脱着保持具３は、リング２１の外周に引っ掛けフック２６を設けている。引っ掛けフック２６は、リング２１から外側に突出するように設けている。引っ掛けフック２６は、上端を外側にフック状に湾曲している金属ロッドで、下端部を２段のリング２１に固定して、リング２１に垂直姿勢に固定している。引っ掛けフック２６は、図１４に示すように、上端のフック部２１Ａを液体収納容器１の上端開口縁に引っ掛けて、脱着保持具３を引き上げ位置に配置する。引き上げ位置にある脱着保持具３は、垂直ロッド２２に連結しているローラ部５２Ａを液面から引き上げる位置に配置する。言い換えると、引っ掛けフック２６は、これを液体収納容器１に引っ掛けて、ローラ部５２Ａを液面よりも上方に配置できる高さに設けている。
【００４５】
以上の脱着収納具は以下のようにして使用する。
液体収納容器１にシンナーなどの液体６を充填する。
【００４６】
開閉蓋２を開いて脱着保持具３を液体収納容器１に入れ、脱着保持具３に設けている垂直ロッド２２に、ローラ５２から外したローラ部５２Ａを挿入して垂直姿勢に配置する。この状態で、ローラ部５２Ａは液体６に浸漬されて、付着する塗料の硬化が阻止される。
【００４７】
ローラ部５２Ａを使用しないとき、垂直ロッド２２にローラ部５２Ａを挿入する状態で、液体収納容器１の開口部を開閉蓋２で密閉する。開閉蓋２は、締め付けリング４で液体収納容器１の開口部を水密構造に密閉する。この状態で液体収納容器１に充填しているシンナーなどの液体６は外部に漏れず、また、気化したガスが外部に漏れることがない。したがって、脱着収納具は、この状態で保管され、あるいは運搬されて、シンナーなどの外部への漏れが阻止される。
【００４８】
ローラ部５２Ａを使用するときは、締め付けリング４を緩めて開閉蓋２を開き、引上ロッド２４の取手２５を持って脱着保持具３を引き上げ、図１４に示すように、引っ掛けフック２６を液体収納容器１の開口縁に引っ掛けて、引き上げ位置とする。この位置でローラ部５２Ａが液面から引き上げられる。作業者は、液面から引き上げられたローラ部５２Ａの形状や大きさを確認し、使用するのに最適なローラ部５２Ａを垂直ロッド２２から引き抜いて使用する。その後、使用しないときは、脱着保持具３を液体収納容器１に収納して、ローラ部５２Ａを液面下に配置して、開閉蓋２で開口部を密閉する。
【符号の説明】
【００４９】
１…液体収納容器
２…開閉蓋
３…脱着保持具
４…締め付けリング
５…塗装具
６…液体
７…積層部
８…パッキン
１１…フランジ
１２…外周縁部
１６…引掛部
２１…リング
２２…垂直ロッド
２３…十字ロッド
２４…引上ロッド
２５…取手
２６…引っ掛けフック          ２６Ａ…フック部
３１…リング
３２…吊り下げロッド
３３…支持ロッド
３４…下端リング
３５…空隙部
３６…引っ掛けフック
４１…結束リング
４２…開閉レバー
４３…嵌入溝
４５…結束部
４６…回転軸
４７…連結部材
４８…回転軸
５１…刷毛                    ５１Ａ…刷毛部
５２…ローラ                  ５２Ａ…ローラ部
５２ａ…中心孔
９１…液体収納容器
９２…サブ容器
９３…刷毛入れ部
９４…引っ掛け部
９５…塗料抜き
９６…仕切り
９９…刷毛                    ９９Ａ…刷毛部
【図１】
2011031224.tif 000003
【図２】
2011031224.tif 000004
【図３】
2011031224.tif 000005
【図４】
2011031224.tif 000006
【図５】
2011031224.tif 000007
【図６】
2011031224.tif 000008
【図７】
2011031224.tif 000009
【図８】
2011031224.tif 000010
【図９】
2011031224.tif 000011
【図１０】
2011031224.tif 000012
【図１１】
2011031224.tif 000013
【図１２】
2011031224.tif 000014
【図１３】
2011031224.tif 000015
【図１４】
2011031224.tif 000016